(57)【特許請求の範囲】
【請求項１】
凹部が形成された産卵床体を用いてホッケに産卵させる方法であって、
開口の幅が２〜６ｃｍとなるように、且つ、内部の大きさが１回に産卵する複数個のホッケの卵からなる１個の卵塊の全体が収まるような大きさになるように前記凹部が形成された１又は複数個の前記産卵床体を、前記開口を通じて前記凹部内が上方から又は側方から視認可能となるように海底又は海底の構造物に設置すると共に、前記卵塊を前記凹部の内部に押し込みつつ前記開口付近に付着させるようにホッケの雌に産卵させることを特徴とする産卵床体を用いてホッケに産卵させる方法。
【請求項２】
ホッケの１個体が形成する縄張りの１領域に相当する範囲内に、ホッケの雌が複数の卵塊を産卵できる前記凹部が配置されるように、前記１又は複数個の産卵床体を設置すると共に、前記１又は複数個の産卵床体に対して複数の卵塊をホッケの雌に産卵させることを特徴とする請求項１に記載のホッケに産卵させる方法。
【請求項３】
前記産卵床体が２０ｃｍ〜１ｍの幅を有しており、
少なくともいずれか１つの前記産卵床体上に前記縄張りが形成された場合に前記縄張りの１領域内に複数個の卵塊が産卵可能となるように前記１つの産卵床体に前記凹部が形成されており、前記１又は複数個の産卵床体に対して複数の卵塊をホッケの雌に産卵させることを特徴とする請求項２に記載のホッケに産卵させる方法。
【請求項４】
少なくともいずれか１つの前記凹部が、複数個の前記卵塊が並ぶことができる長さを有しており、当該凹部に対して複数の卵塊をホッケの雌に産卵させることを特徴とする請求項３に記載のホッケに産卵させる方法。
【請求項５】
前記縄張りの１領域内に相当する範囲内に、前記開口の大きさ及び形状の少なくともいずれかが互いに異なる複数の前記凹部が形成された前記産卵床体を設置することを特徴とする請求項２〜４のいずれか１項に記載のホッケに産卵させる方法。
【請求項６】
前記産卵床体の上面に前記凹部が形成され、底面と一側面との間に切り欠き面が形成されており、
前記切り欠き面と前記産卵床体が載置される表面とによって前記凹部がさらに形成されるように、前記産卵床体を海底又は海底の構造物上に載置することを特徴とする請求項１〜５のいずれか１項に記載のホッケに産卵させる方法。
【請求項７】
前記産卵床の設置場所として、前記特定の魚類による産卵が過去又は現時点で確認されている岩礁又はその周辺領域を選択することを特徴とする請求項１〜６のいずれか１項に記載のホッケに産卵させる方法。
【発明の詳細な説明】
【技術分野】
【０００１】
本発明は、産卵床体を用いてホッケに産卵させる方法に関する。
【背景技術】
【０００２】
従来、海藻や魚介類の生育や養生を目的として、さまざまな人工礁や産卵床が提案されている。特許文献１及び２は、海藻類を付着させ、生育するための海藻礁である。特許文献３はイカ類の産卵床である。
【先行技術文献】
【特許文献】
【０００３】
【特許文献１】特開２０００−１９７４２６号公報
【特許文献２】特開平１１−１３７１１７号公報
【特許文献３】特開平９−１８７１８８号公報
【発明の概要】
【発明が解決しようとする課題】
【０００４】
特許文献１〜３などの従来技術は、岩礁又はその周辺領域を産卵場所とする特定の魚類の産卵特性を利用したものではない。
【０００５】
本発明の目的は、岩礁又はその周辺領域を産卵場所とする特定の魚類の産卵特性を利用することにより当該特定の魚類に産卵させやすくした、産卵床体を用いてホッケに産卵させる方法を提供することにある。
【課題を解決するための手段】
【０００６】
ホッケやアイナメなどの岩礁又はその周辺領域を産卵場所とする特定の魚類には、岩礁等に形成された凹部に産卵するものがいる。本発明者は、これら特定の魚類による産卵例を観察した結果、産卵に適した凹部とそうでない凹部があることに気付いた。そして、凹部が産卵に適しているか否かは、凹部の大きさが、これら特定の魚類の雌が１回に産卵する卵からなる１個の卵塊の産み付けに適しているか否かによることを知見した。
【０００７】
上記観点に基づく本発明による産卵床体を用いてホッケに産卵させる方法は、凹部が形成された産卵床体を用いてホッケに産卵させる方法であって、開口の幅が２〜６ｃｍとなるように、且つ、内部の大きさが１回に産卵する複数個のホッケの卵からなる１個の卵塊の全体が収まるような大きさになるように前記凹部が形成された１又は複数個の前記産卵床体を、前記開口を通じて前記凹部内が上方から又は側方から視認可能となるように海底又は海底の構造物に設置すると共に、前記卵塊を前記凹部の内部に押し込みつつ前記開口付近に付着させるようにホッケの雌に産卵させる。
【０００８】
本発明の産卵床体を用いてホッケに産卵させる方法によると、ホッケやアイナメなどの岩礁やその周辺領域を産卵場所とする特定の魚類の雌が１個の卵塊を内部に押し込みつつ開口付近に付着させることができるように凹部が形成されている。例えば、凹部の開口部が１個の卵塊に比べて大き過ぎると、卵塊が開口にうまく付着できず、凹部の奥に落ち込んでしまうおそれがある。この場合、卵塊への酸素供給が減少して卵が孵化するまで成長できない可能性が生じる。一方、卵塊と比べて開口が小さ過ぎるとそもそも卵塊を凹部内に押し込むことができない。卵塊が凹部内に押し込まれず、凹部の開口から外側に盛り上がった状態になると、外敵により食害されやすくなる。つまり、卵塊に対して適度な大きさに開口が形成されており、尚且つ、卵塊を押し込むのに十分な大きさに凹部内が形成されていることにより、魚類の雌が１個の卵塊を凹部の内部に押し込みつつ凹部の開口付近に付着させることができる。本発明によると、このように凹部が形成されているため、特定の魚類が産卵しやすい。また、このように特定の魚類が産卵しやすい凹部が、上方又は側方から視認可能となるように産卵床体が設置される。このため、特定の魚類を産卵のために凹部へと誘引しやすい。なお、本発明における産卵床の設置場所は、例えば、海底の岩礁、転石、人工魚礁等である。また、特定の魚類とは、本発明の産卵床の対象となるいずれか特定の種類の魚類を示す。
【０００９】
また、本発明においては、ホッケの１個体が形成する縄張りの１領域に相当する範囲内に、ホッケの雌が複数の卵塊を産卵できる前記凹部が配置されるように、前記１又は複数個の産卵床体を設置すると共に、前記１又は複数個の産卵床体に対して複数の卵塊をホッケの雌に産卵させることが好ましい。特定の魚類の中には産卵場所に縄張りを形成し、縄張り内に産卵された卵を保護するものがいる。この場合、縄張りの範囲内に複数の卵塊が集中して産み付けられると、魚が卵を保護する効率が高まる。上記構成によると、縄張りの１領域内に複数の卵塊を産卵できるように凹部が配置される。このため、縄張り内に複数の卵塊が産み付けられる確率が高まる。よって、産み付けられた卵が効率よく保護される。
【００１０】
また、本発明においては、前記産卵床体が２０ｃｍ〜１ｍの幅を有しており、
少なくともいずれか１つの前記産卵床体上に前記縄張りが形成された場合に前記縄張りの１領域内に複数個の卵塊が産卵可能となるように前記１つの産卵床体に前記凹部が形成されており、前記１又は複数個の産卵床体に対して複数の卵塊をホッケの雌に産卵させることが好ましい。本発明によると、１つの産卵床体を設置することで、当該産卵床体上に縄張りが形成された場合に、その縄張りの１領域内に複数個の卵塊が産み付け可能となる。これにより、少なくとも１つの産卵床体を設置するだけで縄張りの１領域内に複数個の卵塊が産み付け可能な産卵床を設置できる。つまり、簡易な設置作業で効果の高い産卵床を設置できる。
【００１１】
また、本発明においては、少なくともいずれか１つの前記凹部が、複数個の前記卵塊が並ぶことができる長さを有しており、当該凹部に対して複数の卵塊をホッケの雌に産卵させてもよい。卵塊を内部に押し込みつつ開口付近に付着させることができるような凹部の一具体例である。また、本発明においては、前記縄張りの１領域内に相当する範囲内に、前記開口の大きさ及び形状の少なくともいずれかが互いに異なる複数の前記凹部が形成された前記産卵床体を設置することが好ましい。
【００１２】
また、本発明においては、前記産卵床体の上面に前記凹部が形成され、底面と一側面との間に切り欠き面が形成されており、前記切り欠き面と前記産卵床体が載置される表面とによって前記凹部がさらに形成されるように、前記産卵床体を海底又は海底の構造物上に載置することが好ましい。これによると、産卵床体の側面と底面の間に形成された切り欠き面によって凹部がさらに形成される。したがって、この凹部は側方に向かって開口することとなる。つまり、凹部が側方に開口した産卵床を簡易な構成で設置できる。
【００１３】
また、本発明においては、前記産卵床の設置場所として、前記特定の魚類による産卵が過去又は現時点で確認されている岩礁又はその周辺領域を選択することが好ましい。これによると、特定の魚類に関して実際に産卵が確認された岩礁又はその周辺領域に産卵床を設置する。このため、特定の魚類による産卵床への産卵を確保しやすい。また、天然の岩礁には産卵に適した凹部がまばらにしか存在しないが、そのような場所に産卵床を設置することで、産卵に適した凹部を増加できる。したがって、天然の産卵場所をより産卵に適した場所に改良することができる。なお、産卵床を砂地上の産卵好適地に設置してもよい。この場合は、砂地面の洗掘により埋まり込まないように設計された魚礁や増殖礁に取り付けられることが好ましい。これにより、砂地上にも産卵場を広げられ、砂地漁場の有効利用を図ることができる。
【図面の簡単な説明】
【００１６】
【図１】本発明の一実施形態に係る産卵床体が設置された魚礁台座の斜視図である。
【図２】図２（ａ）は図１の産卵床体の正面図であり、図２（ｂ）はその平面図である。
【図３】図３（ａ）〜図３（ｃ）は図２の産卵床体に関する凹部周辺の部分縦断面図である。図３（ｄ）は凹部の平面図である。
【図４】図４（ａ）は、１個の産卵床体が設置された領域上に対象魚が縄張りを設定した状況を示す概略図である。図４（ｂ）は、複数個の産卵床体が設置された領域上に対象魚が縄張りを設定した状況を示す概略図である。
【図５】図５（ａ）は、産卵床体を構成するパネルに関する第１変形例の平面図である。図５（ｂ）は第１変形例の正面図である。図５（ｃ）及び図５（ｄ）は第１変形例のさらに変形例の正面図である。図５（ｅ）は、図５（ｄ）の変形例を他の変形例に係るパネル上に載置した状態の斜視図である。
【図６】図６（ａ）及び図６（ｄ）は、産卵床体を構成するパネルに関する第２変形例及び第３変形例の平面図である。図６（ｂ）は第２変形例の正面図である。図６（ｃ）は第２変形例のさらに変形例の正面図である。図６（ｅ）は第３変形例の正面図である。図６（ｆ）は第３変形例のさらに変形例の平面図である。
【図７】図７（ａ）、図７（ｂ）及び図７（ｄ）は、産卵床体を構成するパネルに関する第４変形例、第５変形例及び第６変形例の平面図である。図７（ｃ）は第５変形例の凹部周辺の部分縦断面図である。図７（ｅ）は第６変形例の正面図である。図７（ｆ）は第６変形例のさらに変形例の正面図である。
【図８】図８（ａ）は産卵床体に関する別の変形例の斜視図である。図８（ｂ）は図８（ａ）の正面図である。
【図９】図９（ａ）及び図９（ｃ）はパネルに関する第７変形例及び第８変形例の平面図である。図９（ｂ）及び図９（ｄ）は第７変形例及び第８変形例の正面図である。図９（ｅ）はパネルに関する第９変形例の斜視図である。
【図１０】図１０（ａ）及び図１０（ｃ）は、パネルの別の固定方法を示す平面図である。図１０（ｂ）及び図１０（ｄ）はその正面図である。
【図１１】図１１（ａ）は、産卵床体を設置する石かごの正面図である。図１１（ｂ）はその平面図である。石かご内の礫は一部のみ図示している。
【発明を実施するための形態】
【００１７】
本発明の一実施形態に係る産卵床及びその設置方法並びに産卵床体を用いてホッケに産卵させる方法について説明する。本実施形態に係る産卵床は、岩礁及びその周辺領域（転石帯等）を産卵場所とする特定の魚類、特に、ホッケやアイナメなどのアイナメ科の魚類（以下、対象魚とする。）を対象とする。本実施形態の産卵床は、水深１０ｍ前後から５０ｍまで、好ましくは３０〜４０ｍ付近の海底にある岩礁、転石又は人工魚礁等の構造物上に設置される。設置場所は、対象魚による産卵が過去に観測された又は現在観測されている地点又はその付近であることが好ましい。これにより、対象魚による産卵床への産卵を確保しやすい。また、対象魚による実際の産卵場所を周辺領域に連続的に拡張するように産卵床を設置していくことができる。なお、産卵床を砂地上の産卵好適地（対象魚による産卵が過去に観測された地点付近を含む）に設置してもよい。この場合は、砂地面の洗掘により埋まり込まないように設計された魚礁や増殖礁に取り付けられることが好ましい。設置場所までは船で運搬され、海底まで自然沈下させるか、ダイバーの徒手によって海底へと運ばれる。また、公共工事等によって魚礁等が設置されるに当たって、あらかじめ産卵床が設置された魚礁等が海底等に設置されてもよい。
【００１８】
本実施形態の産卵床を構成する産卵床体１は、海底に設置された人工魚礁である魚礁台座８１（図１参照）や天然の岩礁上に固定される。なお、魚礁台座８１は、魚礁を産卵床体１の固定場所とする場合の一例である。産卵床体１は、図２（ａ）及び図２（ｂ）に示すように、パネル１１及び固定用ステイ１０を有している。パネル１１はコンクリート等の素材からなる部材であり、平板状に形成されている。パネル１１内には鉄筋が設けられてもよい。パネル１１の厚みに沿った方向（厚み方向）と直交する表面は正方形の形状を有している。あるいは、パネル１１の当該表面が正方形以外の四角形の形状を有していてもよい。一実施例において、パネル１１の正方形の表面における一辺の長さは２０ｃｍ〜１ｍである。産卵床体１は、パネル１１の厚み方向が上下方向にほぼ沿うように配置される。
【００１９】
固定用ステイ１０はパネル１１の下部に埋め込まれている。パネル１１内に鉄筋が設けられている場合にはその鉄筋に固定されてもよい。固定用ステイ１０の両端には固定孔１０ａが形成されている。この固定孔１０ａを通じてボルトなどによって固定用ステイ１０が魚礁台座８１や天然岩礁に固定されることにより、産卵床体１が固定されている。例えば、あらかじめ魚礁台座８１の上面にボルトを固定しておき、固定孔１０ａにボルトを通すと共に、そのボルトにナットを取り付けて締めることで産卵床体１を魚礁台座８１に固定する。なお、パネル１１に固定用ステイ１０を設けず、水中ボンド等の接着剤によってパネル１１の下面を岩盤等の表面に直接接着してもよい。
【００２０】
パネル１１の上面には産卵用の凹部２１〜２３の少なくともいずれかからなる複数の凹部が形成されている。１個のパネル１１には凹部２１〜２３の全種類が形成されてもよいし、凹部２１〜２３のうち、一部の種類のみが形成されてもよい。図２は、一例として、凹部２１のみが形成される場合を示す。凹部２１又は２２は、図３（ａ）又は図３（ｂ）に示すように、概略的にＵ字型又はＶ字型の断面形状を有している。凹部２１及び２２は、このように、上方に向かって広がるように開口している。一方、凹部２３は、図３（ｃ）に示すように、上部の開口２３ａ付近が窄まった瓶型の形状を有している。凹部２１〜２３の開口２１ａ〜２３ａは、図３（ｄ）に示すように、いずれも上方から見て円形（又は、比較的円形に近い楕円形）の概略形状を有している。なお、凹部２１〜２３の開口の形状が真円や楕円形よりいびつな形状であってもよい。凹部２１〜２３の上方からは、開口２１ａ〜２３ａを通じて凹部２１〜２３の内部を視認可能である。開口２１ａ〜２３ａの直径Ｒは２〜６ｃｍである。また、凹部２１〜２３の内部は、いずれも、後述の１卵塊の全体が十分に収容される大きさを有している。
【００２１】
産卵床体１は、図４（ａ）及び図４（ｂ）に示すように、平面視において直径１〜１．５ｍの領域Ａごとに１個以上、好ましくは複数個が配置される。各産卵床体１にはそれぞれ複数の凹部が形成されているため、上記のように配置されることにより、平面視において直径１〜１．５ｍの領域Ａごとに凹部２１〜２３などの凹部が複数個配置される。
【００２２】
以上説明した本実施形態の産卵床及びその設置方法並びに産卵床体を用いてホッケに産卵させる方法は、ホッケやアイナメ等のアイナメ科の対象魚が有する習性を以下のように利用したものである。以下においては主にホッケを例に挙げて説明するが、アイナメに関してもほぼ同様である。
【００２３】
秋に婚姻色を呈したホッケの雄は、群れを形成しつつ、岩礁やその周辺領域に産卵場を形成する。群れ内の各雄ホッケは、産卵場に縄張りを形成する。本発明者が実施した潜水観察によると、雄ホッケが産卵場を形成する岩礁地帯は、水深１０ｍ前後から５０ｍ前後の海底にあり、水深３０〜４０ｍ付近において雄の縄張りの密度が高い傾向にある。
【００２４】
雄ホッケは、岩礁の平坦な上面や緩い傾斜面に産卵場を形成することが多い。このような表面であって産卵に適した凹部が点在する場所を利用する。上記の凹部２１〜２３は、かかる凹部の一部の形状を模したものである。各雄ホッケは、直径１〜１．５ｍ程度の領域で縄張りを形成する。この縄張りの範囲では、各雄ホッケは、別の雄ホッケやその他の外敵を縄張り外へと排除する行動を取る。産卵に適した天然の凹部は、しばしば上方に向かって開口している。このため、産卵期以外の期間には凹部内に砂などが滞留していることが多い。雄ホッケは、縄張り内に存在する産卵に適した凹部内に滞留した砂などを排出することで、卵塊が収まる空間を凹部内に形成する。
【００２５】
一方、雌ホッケは、雄ホッケが産卵場を形成した岩礁へと群れで来遊する。各雄ホッケは来遊した雌ホッケを自らの縄張り内に誘導する。誘導された雌ホッケは、１回の産卵当たりに平均４０００個の沈性固着卵を産卵する。産卵された卵は不定形であるが、相互に密着した卵塊となる。雄ホッケがこの卵塊に放精した後、雌ホッケは、胸びれ、胸部、腹部等を用いて雄ホッケが砂などを排出した凹部内に卵塊を押し込む。これにより、卵塊は凹部内の形状に合わせて変形しながら固化し、凹部の内表面に強固に付着する。
【００２６】
例えば、凹部２１〜２３のような大きさ及び形状の凹部の場合、１個の凹部ごとに１個の卵塊が産み付けられる。各卵塊は、凹部の形状に応じて変形しつつ、その大半が凹部内に収まると共に、卵塊の上部が凹部の開口付近に付着する。すなわち、図３（ａ）〜図３（ｃ）において、開口２１ａ〜２３ａ付近の領域（一点鎖線で囲まれた領域）に卵塊が固定される。このとき、凹部の開口が大き過ぎると卵塊が開口付近にうまく付着しない。また、凹部の開口が小さ過ぎると卵塊を凹部内に押し込みにくい。ホッケの場合、親魚の年齢によって産卵数が増減するため、卵塊を押し込む孔や溝は、その開口部の直径の上限が６ｃｍ程度、下限が２ｃｍ程度であることが好ましい。１つの縄張り内には複数の雌ホッケが次々に誘導され、縄張り内の空いている凹部に産卵していく。産卵を済ませた雌ホッケは産卵場所を離れるが、雄ホッケは縄張り内に留まり、別の雄ホッケやその他の外敵を追い払い続ける。これにより、各雄ホッケは、自らの縄張り内に産み付けられた１又は複数個の卵塊を卵から稚魚が孵化するまで保護し続ける。
【００２７】
対象魚に関するかかる習性を利用することで、本実施形態に係る産卵床は、下記のように、対象魚にとって産卵しやすく且つ卵を孵化させやすいものとなっている。まず、産卵床体１に形成された凹部２１〜２３は、開口２１ａ〜２３ａの直径Ｒが２〜６ｃｍに形成されている。また、凹部２１〜２３の内部は１卵塊の全体が収まるような大きさを有している。これにより、対象魚（ホッケ）が１個の卵塊を凹部の内部に押し込みつつ、凹部の開口付近に付着させることができる。つまり、対象魚が卵を産み付けやすい産卵床が形成される。以下、１個の卵塊を凹部の内部に押し込みつつ、凹部の開口付近に付着させることができる凹部の内部及び開口の大きさの範囲を、産卵好適範囲とする。
【００２８】
産卵好適範囲は魚種によって異なる。対象魚がホッケである場合、上記の通り、凹部の開口の大きさを２〜６ｃｍ程度にすると産卵好適範囲になる。その他、対象魚によって適切な範囲が産卵好適範囲とされればよい。魚種に応じた産卵好適範囲は、自然における実際の産卵態様を観察することによって取得可能である。あるいは、様々な大きさ・形状の凹部を形成した産卵床を対象魚の産卵場所等に試験的に設置し、産卵態様を観察することによって取得してもよい。産卵好適範囲になるように凹部が形成されているかどうかは、上記のように対象魚の産卵場所等に試験的に産卵床を設置し、対象魚が凹部に卵塊を産み付けるか否かを実際に観察することで判定可能である。
【００２９】
また、産卵床体１が領域Ａごとに１個以上、好ましくは複数個が配置されることで、領域Ａごと、つまり、１つの縄張りに相当する領域ごとに、凹部２１〜２３の少なくともいずれかからなる複数個の凹部が配置される。したがって、産卵床体１が設置された場所に対象魚が縄張りを形成すると、縄張り内に複数個の凹部が配置されることになる。雌ホッケは、凹部２１〜２３には１個の凹部に１個ずつ卵塊を産み付けていく。したがって、複数個の凹部が縄張り内に存在すると、１つの縄張りの範囲内に複数の卵塊が集中して産み付けられる可能性が高まる。これによって、雄ホッケが卵を保護する効率が高まり、孵化に至る卵が多くなる。
【００３０】
また、１個の産卵床体１は縦横が２０ｃｍ〜１ｍと、縄張りの１辺の長さである１〜１．５ｍ以下である。このような産卵床体１に複数個の凹部が集中的に形成されていることで、雄ホッケが産卵床体１を含むように縄張りを形成すると、縄張り内のさらに小さい領域に凹部が集中して配置されることになる。これによって、雄ホッケが卵を保護する効率がさらに高まる。また、１個の産卵床体１を設置するだけで１つの縄張り内に複数の凹部が配置されるような産卵床を容易に設置可能である。
【００３１】
次に、上述のパネル１１の変形例について説明する。パネル１１の変形例に係るパネル１２〜１８は、パネル１１と同様、コンクリート等の素材からなる部材であり、縦横の長さが等しく、縦横の寸法に比べて厚みが小さい平板状に形成されている。また、パネル１２〜１８それぞれの縦横の長さは、パネル１１と同様、２０ｃｍ〜１ｍである。以下、パネル１２〜１８の各構成について説明する。
【００３２】
パネル１２の上面には、図５（ａ）に示すように、凹部２１〜２３の他、凹部２４〜２６が形成されている。凹部２４〜２６の上方からは、各凹部の開口を通じて凹部２４〜２６の内部を視認可能である。凹部２４は、横方向に関してパネル１２の一端付近から他端付近まで延びている。つまり、凹部２４は横方向に長尺である。凹部２４の底部は図５（ｂ）に示すように、ランダムな凹凸状に形成されている。凹部２４は、縦方向に関して１卵塊の大きさ程度又はそれ以下の幅を有しており、これによって、凹部２４の開口の一方の端部と他方の端部の両方に卵塊が付着可能であるように形成されている。凹部２４の内部は、上記のように開口付近に付着した状態で卵塊全体が内部に納まるような大きさに形成されている。なお、凹部２４の内部が多少小さくても、横方向に伸びるように卵塊が変形することにより、１個の卵塊全体が凹部２４内に収まり得る。このように、凹部２４の内部及び開口の大きさも、凹部２１〜２３と同様に、１個の卵塊を凹部の内部に押し込みつつ、凹部の開口付近に付着させることができる範囲となっている。つまり、凹部２４の開口及び内部の大きさも産卵好適範囲である。さらに、凹部２４は、横方向に長尺に形成されていることで、複数個の卵塊が横方向に並ぶように産卵可能である。凹部２４のように細長い溝状に凹部を形成することで、複数個の凹部２１〜２３を形成する場合と同様、１個の産卵床体に複数個の卵塊を産み付け可能な産卵床を設置できる。
【００３３】
凹部２５は、横方向に長尺であるが、凹部２４より短い形状を有している。パネル１２の上面には２つの凹部２５が横方向に並んでいる。凹部２５の開口及び内部の大きさも、凹部２４と同様、産卵好適範囲である。凹部２６は横方向に若干長尺であり、比較的いびつな形状を有している。複数個の凹部２６が横方向及び縦方向に関して互いに接しつつ連続している。各凹部２６の内部及び開口は産卵好適範囲である。
【００３４】
パネル１２の下端部には、図５（ｂ）に示すように、切り欠き面１２ｃが形成されている。切り欠き面１２ｃは、パネル１２の底面１２ａの延長面と側面１２ｂの延長面との間に形成される角を斜めに切り欠くように形成された面である。切り欠き面１２ｃは、底面１２ａと側面１２ｂの間に形成され、底面１２ａ及び側面１２ｂの両方に対して傾斜した平面に沿っている。切り欠き面１２ｃの上下方向の幅は一定である。パネル１２を比較的平坦な上面を有する岩盤等の上面に載置すると、その上面と切り欠き面１２ｃとによって凹部２７が形成される。凹部２７は、縦方向及び横方向に沿って長尺に形成される。凹部２７は、その開口を通じて側方から内部を視認可能である。凹部２７の開口の上下方向に関する幅（図５（ｂ）のΔ）及び内部の大きさは、凹部２４と同様、産卵好適範囲である。また、縦方向又は横方向に沿って並ぶように複数の卵塊が産卵可能である。
【００３５】
なお、パネル１２のさらに変形例として、図５（ｃ）及び図５（ｄ）に示すパネル１２’及び１２’’が用いられてもよい。パネル１２’は、底面１２’ａに対して上面１２’ｄが傾斜している。また、パネル１２’の下端部に形成された切り欠き面１２’ｃは、上下方向に関する幅が一定でない。切り欠き面１２’ｃとパネル１２’が載置された面との間には凹部４７が形成される。凹部４７の上下方向に関する幅（例えば、図５（ｃ）のΔ）及び内部の大きさは、凹部２７と同様、産卵好適範囲である。パネル１２’’は、下端部に切り欠き面１２’’ｃが形成されているのみならず、上端部にも切り欠き面１２’’ｃと同様の切り欠き面１２’’ｅが形成されている。また、パネル１２’’の上面には、図５（ｅ）に示すように複数の凹部２１が形成されている。パネル１２’’の下面にも複数の凹部２１が上面と同様に形成されている。このため、パネル１２’’は天地を逆にして使用することができる。パネル１２、１２’又は１２’’を、大きさの異なる別のパネルと併用してもよい。例えば、図５（ｅ）に示すように、パネル１８の上面にパネル１２’’を固定して使用してもよい。パネル１８は、平坦な上面を有し、上面に複数の凹部２１が形成されている。また、パネル１８の下端部には切り欠き面１８ａが形成されている。かかるパネル１８の上面にパネル１２’’が固定されることにより、切り欠き面１２’’ｃとパネル１８の上面との間に、側方から内部を視認可能な凹部４５が形成される。さらに、パネル１８が載置された面とパネル１８の下端部の切り欠き面１８ａとの間に、側方から視認可能な凹部４６が形成される。凹部４５及び４６の上下方向に関する幅と内部の大きさは、凹部２７と同様、産卵好適範囲である。
【００３６】
パネル１３の上面には、図６（ａ）及び図６（ｂ）に示すように、北寄貝やホタテの貝殻３１及び３２が固定されている。貝殻３１及び３２は、内側が上方に向くように配置されている。これにより、貝殻３１及び３２の内部によって形成された凹部２８が上方に開口している。貝殻３１及び３２は、凹部２８の開口が産卵好適範囲となるような大きさのものが用いられる。これにより、凹部２８が、対象魚の１個の卵塊が産み付けられるのに適した大きさとなる。なお、図６（ｃ）のパネル１３’に示すように、貝殻３１等が斜めに配置されてもよい。パネル１３の下端部には切り欠き面１３ａが形成されている。切り欠き面１３ａは、平面でなく、曲面に沿っている。切り欠き面１３ａとパネル１３が載置された面との間には凹部４９が形成される。凹部４９の上下方向に関する幅及び内部の大きさは、凹部２７と同様、産卵好適範囲である。
【００３７】
パネル１４の上面には、図６（ｄ）及び図６（ｅ）に示すように、天然石からなる複数個（例えば、４個）の礫４８が固定されている。礫４８同士の隙間には溝状の凹部３４が形成されている。礫４８の大きさ、形状及び配置関係は、凹部３４が産卵好適範囲となる領域を含むように調整されている。凹部３４は、複数個の卵塊が産み付け可能となるように形成されることが好ましい。パネル１４の下端部には、パネル１３と同様の切り欠き面１３ａが形成されている。なお、礫４８より小さい礫３３が図６（ｆ）に示すように縦横に並べられることにより、礫３３の列同士の間に溝３５が凹部３４と同様に形成されてもよい。
【００３８】
パネル１５の上面には、図７（ａ）に示すように、幅及び深さのいずれについても一定しない溝状の凹部３６が開口している。凹部３６は、産卵好適範囲となる領域を含むようにパネル１５の上部に形成されており、全長がなるべく長くなるようにパネル１５の上面全体に張り巡らさられている。対象魚は、凹部３６に沿って複数個の卵塊を産み付け可能である。パネル１６の上面には、図７（ｂ）及び図７（ｃ）に示すように、平面形状が矩形であり縦断面が三角形の凹部３７が複数個形成されている。凹部３７は、産卵好適範囲となる大きさに形成されている。凹部３７の横方向に関する長さは、複数個の卵塊が産み付けられるのに適したものとなっていることが好ましい。また、凹部３７の底面は、斜めに傾斜しつつ開口まで延びている。このため、内部に砂が滞留した場合にこれを対象魚が掻き出しやすい。
【００３９】
パネル１７の上面には、図７（ｄ）及び図７（ｅ）に示すように、側面視において三角形の突出部３８が上方に向かって突出している。突出部３８は、縦方向に沿って複数本延びている。突出部３８同士の間には、縦方向に沿って延びた溝状の凹部３９が形成されている。凹部３９は、産卵好適範囲となる大きさであり、且つ、複数個の卵塊が縦方向に並ぶように産み付け可能に形成されている。なお、凹部３９はパネル１７の上面から上方に突出する突出部３８の間に形成されているが、図７（ｆ）のパネル１７’のように、上面を下方に凹ませることで凹部３９と同様な凹部４０が形成されていてもよい。
【００４０】
産卵床体１のその他の変形例について説明する。上記パネル１４には天然石が固定されているが、繊維網製のネットを使用することにより、このような天然石からなる礫をパネルに固定せずに用いてもよい。例えば、図８（ａ）及び図８（ｂ）に示す石詰め礁４１及び４２は、それぞれ繊維網製のネット４３と、ネット４３内に詰められた礫４４とを有している。なお、図８（ａ）はネット４３の一部を細い破線で示している。石詰め礁４１及び４２は互いに接するように連結されつつ海底に配置される。石詰め礁４１及び４２同士の間には溝状の凹部４９が形成されている。凹部４９の開口の幅（図８（ｂ）のΔ）及び内部の大きさは産卵好適範囲である。対象魚は、凹部４９に沿って複数個の卵塊を産み付け可能である。また、対象魚によっては、石詰め礁４１又は４２の上部から側面にかけての領域（図８（ｂ）の一点鎖線Ｂに示す領域）にも卵塊を付着させることがある。これはネットが緊張した状態で張られている場合に、内部の石材同士の谷間とネット地の間に空間が形成される。網地を卵塊付着の補強材として利用することでこの空間に好適に卵塊を産卵することができるためと考えられる。
【００４１】
図９（ａ）〜図９（ｅ）に示すパネル５１〜５３は、コンクリート等の素材からなる部材であり、縦横の長さが等しく、縦横の寸法に比べて厚みが小さく形成されている。なお、縦横の寸法が異なっていてもよい。例えば、立方体や直方体等の概略形状を有する魚礁などに配置する場合、パネルの平面形状を長方形とすると共に、中央部に波浪を抜けさせる空間をパネルに設けてもよい。パネル５１〜５３のうち、パネル５１及び５２は、上記パネル１１〜１８と異なり、上面が山型に上方へと突出している。パネル５１の上部には凹部２１が形成されており、山型に傾斜した上面の傾斜面には凹部２１の開口が形成されている。凹部２１は、縦方向及び横方向のそれぞれに沿って整列している。なお、凹部２１の代わりに凹部２２や凹部２３が形成されていてもよいし、凹部２１〜２３が混在していてもよい。パネル５２の上部には凹部２１の他、長尺な溝状の凹部６１が形成されている。凹部６１は、パネル５２の横方向に関する端部から山型の頂上付近まで延びている。凹部６１は、幅や深さが不定な、比較的いびつな形状を有している。凹部６１の開口の幅や内部の大きさは産卵好適範囲である。凹部６１は、一例として、２つの傾斜面の一方に複数本（例えば、３本）、他方に複数本（例えば、３本）が形成されている。また、山型の頂上付近には、一例として、６つの凹部２１が形成されている。このうちの４つは縦方向に関して凹部６１同士の間に配置されており、残りの２つは縦方向に関してパネル５２の端部に形成されている。
【００４２】
パネル５３の上部には、上方に突出した複数本の凸部６２が形成されている。凸部６２は縦方向に沿っている。凸部６２同士の間には、縦方向に直交する断面がＵ字型である凹部６３と、縦方向に直交する断面がＶ字型である凹部６４とが、横方向に交互に形成されている。凹部６３の開口の幅Δ１と内部の大きさは産卵好適範囲である。凹部６４の開口の幅Δ２と内部の大きさも産卵好適範囲である。
【００４３】
上述のパネル１１には、図１０（ａ）〜図１０（ｄ）に示す金具７１又は７２が設けられてもよい。金具７１は、金属製の矩形の枠体からなるアーム状の部材である。金具７１は、パネル１１の下端部の内部に埋め込まれており、パネル１１から横方向の両方向に突出している。突出した部分は、図１０（ｂ）に示すように上方に折り曲げられている。金具７１同士をロープ等で結び付けることにより、パネル１１同士を連結することができる。また、金具７１を持ち手にしてパネル１１を徒手で運搬できる。多数のパネル１１同士を縦横に連結することで平面的に配列してもよい。この場合には、ところどころに上記の石詰め礁４１及び４２のような礁を配置すると共に、これとパネル１１を連結してもよい。これにより、パネル１１の連結体全体を海底に安定して設置できる。
【００４４】
金具７２は、図１０（ｃ）に示すように、横方向に沿った２本の枠部材７２ａと、縦方向に沿った４本の枠部材７２ｂと、２本の枠部材７２ｂから上方にコの字型に突出した枠部材７２ｃとからなる。枠部材７２ａ〜７２ｃはいずれも丸棒状の金属製の部材であり、互いに溶接により固定されている。枠部材７２ａはパネル１１の下端部内に埋め込まれており、横方向の両方向に突出している。２本の枠部材７２ａは、縦方向に関してパネル１１の両端部に配置されている。枠部材７２ｂは、一方の枠部材７２ａから他方の枠部材７２ａまで延びている。枠部材７２ｃは、４本の枠部材７２ｂのうち、中央の２本の上面に固定されている。金具７２は、魚礁台座８１等への溶接固定に用いられる。例えば、魚礁台座８１の上面に溶接用金具を埋め込み、その溶接用金具と金具７２とを溶接で固定することにより、パネル１１を魚礁台座８１に固定する。なお、金具７２の形状は、要求される強度によって適宜変更されてもよい。
【００４５】
パネル１１等を固定するために図１１に示す直方体状の石かご８２が用いられてもよい。石かご８２は、金属製の枠体８３、合成樹脂製の硬質ネット８４、枠体８３内を仕切る仕切り壁８５、及び、枠体８３内に充てんされた天然石や砕石からなる礫８６を有している。枠体８３は、直方体の各辺に相当する位置に配置された金属の棒状部材から構成されている。硬質ネット８４は、枠体８３を構成する棒状部材同士の間に張られている。棒状部材と硬質ネット８４によって枠体８３の外壁が形成されている。かかる外壁の内部は仕切り壁８５によって仕切られている。礫８６は、仕切り壁８５によって仕切られることにより形成された枠体８３内の各室に充てんされている。仕切り壁８５が設けられていることにより、礫８６が各室内に安定に保持されている。例えば、石かご８２が海底に載置された後、金具７２を用いて溶接によりパネル１１が石かご８２に固定される。石かご８２は、海底の岩盤等に固定されてもよいし、魚礁台座８１の上面に固定されてもよい。石かご８２内には、礫８６同士の間に隙間が形成されるため、対象魚の餌となり得る小動物が生息しやすい。したがって、産卵床体を石かご８２に固定して使用することで、対象魚を産卵床体に誘引しやすい。
【００４６】
上述のパネル１１〜１８及び５１〜５３は、縦横の一辺が２０ｃｍ〜１ｍの大きさであるものを想定している。しかし、これらのパネルの大きさはさまざまであってよい。例えば、徒手で扱える程度の大きさであってもよいし、５００ｋｇ〜１ｔ程度の、重機を用いて設置することが必要な大きさであってもよい。なお、図２等に示されるパネル１１等に形成された各種の凹部の個数や配置は一例である。パネル全体の大きさに応じて個数や配置が適宜調整されることが好ましい。
【符号の説明】
【００４７】
１  産卵床体、１１  パネル、２１-２３  凹部、２１ａ-２３ａ  開口
【図１】
0006283633.tif 000002
【図２】
0006283633.tif 000003
【図３】
0006283633.tif 000004
【図４】
0006283633.tif 000005
【図５】
0006283633.tif 000006
【図６】
0006283633.tif 000007
【図７】
0006283633.tif 000008
【図８】
0006283633.tif 000009
【図９】
0006283633.tif 000010
【図１０】
0006283633.tif 000011
【図１１】
0006283633.tif 000012